【事件の表示】
　平成　４年特許願第３５９５３６号「テレビ電話装置及びその制御方法」拒絶査定に対する審判事件〔平成　６年　７月２２日出願公開、特開平　６−２０５４０８、請求項の数（２８）〕について、次のとおり審決する。
【結　論】
　原査定を取り消す。
　本願の発明は、特許すべきものとする。
【理　由】
１．手続きの経緯、本願発明
　本願は、平成４年１２月２６日の出願であって、その請求項１ないし２８に係る発明は、平成１３年９月３日付け手続補正書により補正された明細書および図面の記載からみて、特許請求の範囲の請求項１ないし２８に記載されたとおりのものであり、その独立項は次のとおりである。
　「【請求項１】　着呼した通信に対して自動的に応答通信を開始し、応答メッセージを通信相手に送信すると共に、前記通信相手から送信される画像メッセージ及び音声メッセージを記憶する機能を備えたテレビ電話装置であって、符号化モードを更新する画面更新要求信号を前記通信相手に送信する要求信号送信手段と、受信画像の符号化モードを判定する判定手段と、前記画面更新要求信号を送信後、前記受信画像の符号化モードが予め定めたモードになったときに、前記通信相手から送信される画像メッセージを記憶する記憶手段とを有し、
　さらに前記記憶手段は、前記通信相手の操作により任意のタイミングで取り込まれ送信される画像メッセージを、当該画像メッセージの受信タイミングを示す情報と共に記憶することを特徴とするテレビ電話装置。
　　【請求項９】　着呼した通信に対して自動的に応答通信を開始し、応答メッセージを通信相手に送信すると共に、前記通信相手から送信される画像メッセージ及び音声メッセージを記憶する機能を備えたテレビ電話装置であって、受信画像の符号化モードが予め定めたモードになったときに、前記通信相手から送信される画像メッセージを記憶手段に記憶させる記憶制御手段を有し、
　前記記憶制御手段は、前記通信相手の操作により任意のタイミングで取り込まれ送信される画像メッセージを、当該画像メッセージの受信タイミングを示す情報と共に前記記憶手段に記憶させることを特徴とするテレビ電話装置。
　　【請求項１５】　着呼した通信に対して自動的に応答通信を開始し、応答メッセージを通信相手に送信すると共に、前記通信相手から送信される画像メッセージ及び音声メッセージを記憶手段に記憶させるテレビ電話装置の制御方法であって、符号化モードを更新する画面更新要求信号を前記通信相手に送信し、受信画像の符号化モードを判定し、前記画面更新要求信号を送信後、前記受信画像の符号化モードが予め定めたモードになったときに、前記通信相手から送信される画像メッセージを前記記憶手段に記憶させ、さらに前記通信相手の操作により任意のタイミングで取り込まれ送信される画像メッセージを、当該画像メッセージの受信タイミングを示す情報と共に前記記憶手段に記憶させることを特徴とするテレビ電話装置の制御方法。
　　【請求項２３】　着呼した通信に対して自動的に応答通信を開始し、応答メッセージを通信相手に送信すると共に、前記通信相手から送信される画像メッセージ及び音声メッセージを記憶手段に記憶させるテレビ電話装置の制御方法であって、受信画像の符号化モードが予め定めたモードになったときに、前記通信相手から送信される画像メッセージを前記記憶手段に記憶させ、さらに、前記通信相手の操作により任意のタイミングで取り込まれ送信される画像メッセージを、当該画像メッセージの受信タイミングを示す情報と共に前記記憶手段に記憶させることを特徴とするテレビ電話装置の制御方法。」
　
２．引用例
　これに対して、原審の拒絶理由で引用された特開平１−３０２９８４号公報（以下「引用例１」という。）には、テレビ電話装置において、送受信する画像信号が多階調画像モードか２値画像モードかに応じて異なる画像処理を行なうようにすることが記載されている。
　同じく引用された特開平１−１５１８９０号公報（以下「引用例２」という。）には、パケットテレビ会議端末装置における伝送制御方式に関して、初期画面要求ビットをパケットデータの先頭部分に設け、これにより相手テレビ会議端末装置に初期画面要求を行なうことが記載されている。
　同じく引用された実願平２−１２１４３４号（実開平４−７６７８３号公報）のマイクロフィルム（以下「引用例３」という。）には、画像伝送装置に関して、データ記録部は、録画開始が指示されると、復号化部よりフレーム内符号化データ受信の情報を受け取ってから録画を開始すること、相手局に対してフレーム内符号化開始要求を出力することが記載されている。
　前置審査で示された特開平２−１１９４９１号公報（以下「引用例４」という。）には、留守番テレビ電話に関して、電話の呼出信号に応答してメッセージを出力する音声メモリと、先方電話からの音声信号および映像信号ならびに記録開始時刻を記録する記録装置と、電話の呼出信号に応答して前記記録装置を作動させる制御装置とを備えたものが記載されている。
　同じく示された特開平３−１７８２４７公報（以下「引用例５」という。）及び特開平３−４１８８８号公報（以下「引用例６」という。）には、不在中の着信した相手局からの通信メッセージを記録することのできるテレビ通信端末装置が、記載されている。
　同じく示された特開平３−２５０８８９号公報（以下「引用例７」という。）には、留守録機能付きテレビ電話装置において、応答メッセージと共に、あとどのくらい録画できるのかを知らせる画像を相手に送ることが、記載されている。
　
３．対比、判断
３−１．請求項１、９、１５及び２３について
　本願の請求項１、９、１５及び２３に係る発明と引用例１に記載された発明とを対比すると、引用例１は、本願の請求項１及び９に係る発明の主要な事項である次の事項（ア）を備えていないし、これを示唆する記載もない。
　（ア）受信画像の符号化モードが予め定めたモードになったときに、通信相手から送信される画像メッセージを記憶手段に記憶させること、及び前記通信相手の操作により任意のタイミングで取り込まれ送信される画像メッセージを、当該画像メッセージの受信タイミングを示す情報と共に前記記憶手段に記憶させること。
　また、引用例２及び３は、符号化モードとしてＩｎｔｒａモードを要求する信号を送信し、当該モードの画像信号を受信することが記載されているのみで、上記事項（ア）の構成について記載がなく示唆もない。
　留守録機能を持つテレビ電話装置が、引用例４ないし７に記載されている。特に、引用例４は、受信タイミングを記録するものであるが、これは先方電話からの音声及び映像信号を記録開始する時刻を記録するものであって、上記事項（ア）のような、通信相手の操作により任意のタイミングで取り込まれ送信される画像メッセージの受信タイミングを記憶するものではない。
　よって、引用例１ないし７のいずれにも、上記事項（ア）について記載されていないし、示唆する記載もない。
　そして、本願の請求項１、９、１５及び２３に係る発明は、上記事項（ア）により、高画質の留守録記憶を行なうと共に、あらゆるモードでの受信画像を記憶することがないことから記憶手段の記憶容量を節約することができ、通信相手の操作に基づく画像の受信を可能とすることで通信相手が望む画像を受信できないという事態を防止することができ、画像メッセージを受信タイミングを示す情報と共に記憶することから、記録タイミングに同期した再生を行える等の効果を奏するものである。
　
３−２．請求項２ないし８、１０ないし１４、１６ないし２２、２４ないし２８項について
　本願の請求項２ないし８、１０ないし１４、１６ないし２２、２４ないし２８項に係る発明は、請求項１、９、１５及び２３を引用する項であるので、引用例１ないし７記載のものから容易に想到し得たものであるとすることはできない。
　
４．むすび
　以上のとおりであるから、本願請求項１ないし２８に係る発明が引用例に記載された発明から容易に想到できたものであるとする原審及び前置審査の理由によっては本願を拒絶することはできない。
　また、他に本願を拒絶すべき理由を発見しない。
　よって、結論のとおり審決する。